(57)【要約】【課題】シャッターを閉めた際にスラットが吊り下げられた状態でも気密性、防音性、防水性を向上させたシャッター装置及びスラットを提供する。【解決手段】スラット本体２１の上端部より内側へ第１抱合部２２が、下端部より内側へ第２抱合部２３が、それぞれ延在している。第２抱合部２３は、内部で他のスラットの第１抱合部２２を抱合するように湾曲した湾曲部４２と、その湾曲部４２の端部を湾曲部４２の湾曲方向とは逆の方向に屈曲させた係合端部４３を設けている。また第１抱合部２２には、立ち上がり部３２と当接部３３により係合受部３４が形成されており、他のスラットの係合端部４３の先端部４４が係合して回動の支点となる。また、当接部３３の面と係合端部４３の面が略平行に形成されており、複数のスラット１１が垂下された状態で当接部３３の面と係合端部４３の面が面接触し、気密性、防音性、防水性を向上させる。【選択図】図１
2018145716.tif 000002
【特許請求の範囲】
【請求項１】
建築用のシャッター装置に用いるスラットであって、開口幅方向に延在するスラット本体と、前記スラット本体の上端部より内側へ延在する第１抱合部と、前記スラット本体の下端部より内側へ延在する第２抱合部を有し、前記第２抱合部は、内部で他のスラットの第１抱合部を抱合するように湾曲して形成されてなる湾曲部と、前記湾曲部の端部を前記湾曲部の湾曲方向とは逆の方向に屈曲させた係合端部を有し、前記第１抱合部は、他のスラットの係合端部の先端が回動の支点として当接する係合受部を有し、前記係合受部の一面と前記係合端部の一面が略平行になるように形成されていることを特徴とするスラット。
【請求項２】
前記係合端部は、前記湾曲部の端部から前記スラット本体側へ屈曲していることを特徴とする請求項１に記載のスラット。
【請求項３】
前記第１抱合部は前記スラット本体の上端部より内側へ平面部を有しており、また、前記第２抱合部は前記スラット本体の下端部より内側へ平面部を有しており、両者が略平行となるように形成されていることを特徴とする請求項１または請求項２に記載のスラット。
【請求項４】
請求項１ないし請求項３のいずれか１項に記載のスラットを複数連接してなり、下位のスラットの前記第１抱合部が上位のスラットの前記第２抱合部の内部に抱合されることを特徴とするシャッター装置。
【請求項５】
連接する下位のスラットの前記係合受部の一面と上位のスラットの前記係合端部の一面は、スラットが垂下された姿勢で面接触することを特徴とする請求項４に記載のシャッター装置。
【発明の詳細な説明】
【技術分野】
【０００１】
本発明は、複数のスラットを連接してなるシャッター装置およびそのスラットに関するものである。
【背景技術】
【０００２】
図７は、一般的なシャッター装置の一例の説明図である。図中、１はシャッター装置、２はシャッターカーテン、３はスラット、４はガイドレール、５は巻き取り部である。一般的なシャッター装置１は、シャッターカーテン２をガイドレール４に従って降下させて開口部を閉め、またシャッターカーテン２を巻き取り部５に巻き取りながら上昇させることにより開口部を開放する。
【０００３】
シャッターカーテン２は、開口幅方向に延在するスラット３を複数連接して構成されている。その各スラット３の連接部は、巻き取り部５で巻き取られた際に回動可能に構成されている。
【０００４】
図８は、従来のシャッター装置におけるスラットの連接部の一例の説明図である。図８（Ａ）に示した例は従来の防煙シャッターにおけるスラットの連結部の一例を示しており、上位のスラットの下端部に係合受部を、下位のスラットの上端部に係合部を設け、係合部を係合受部内に巻き込むように構成している。これにより、上位のスラットと下位のスラットとは回動自在に連接されることになる。
【０００５】
図８（Ａ）に示したスラットは、通常、屋内に用いられており、連接部は内側へ向けて下がるように構成されている。屋外で使用すると、スラットの連接部から雨水などの水が内部に入り込んでしまうという問題がある。特許文献１の従来技術として類似の構成が記載されているが、上位のスラットと下位のスラットとの間には隙間が生じ、外側に向かって開口している旨が記載されており、雨水などの水が内部へ浸入するという問題を含んでいる。
【０００６】
また、図８（Ｂ）に示すように、下位のスラットの上端部により上位のスラットの下端部を巻き込んだ構造によりスラットの連接を図る構造も考えられている。この構成の場合、下位のスラットの上端部が外側となる。そのため、巻き取り部５に巻き取ったり降下させたりする際に下位のスラットが回動すると、巻回されている他のスラットと連接部が擦れるなどにより音鳴りする場合があった。
【０００７】
このような音鳴りを防ぎ、また水の浸入も防ぐ構造として、例えば特許文献２に記載されている構成がある。
【０００８】
図９は、防水性を有する従来のシャッターの連結部の一例の説明図である。図中、１０１は上位スラット、１０２は下位スラット、１１１は折り返し部、１１２は係合受部、１１３は係合部、１１４〜１１７は第１〜第４傾斜部である。この図９に示した例は、特許文献２に記載されている構成である。
【０００９】
上位スラット１０１の下部はＵ字に内部側に折り返された折り返し部１１１があり、さらに内部へ向けて湾曲した巻状部として形成された係合受部１１２が形成されている。また、下位スラット１０２の上部は、やはり内部側に折り返されて係合部１１３が形成されている。この係合部１１３は、第１傾斜部１１４〜第４傾斜部１１７によりＷ字状に形成されている。そして、係合部１１３が係合受部１１２に内包されるように組み合わされ、上位スラット１０１と下位スラット１０２とが連結されている。
【００１０】
このような従来のシャッターにおいては、閉じた状態では、上位スラット１０１の折り返し部１１１が、下位スラット１０２の第１傾斜部１１４に当接する。上位スラット１０１の折り返し部１１１はＵ字状に形成されていることから、上位スラット１０１と下位スラット１０２とは線状に当接することになる。この状態を図９（Ａ）に示しており、図中、ａにおいて上下のスラットが線状に当接している。
【００１１】
近年のシャッター装置では、降下するシャッターカーテンの直下に物体が存在していた場合に動作を停止するように安全装置が設けられており、開口部を閉鎖した場合にも、床面にシャッターカーテンが到達したことにより安全装置が作動し、開閉用のモータが停止する。このような場合、下部のスラットは降りきっているものの、上部のスラットは吊り下げられた状態となっている。上述の従来のシャッターにおいては、係合部１１３の第３傾斜部１１６と第４傾斜部１１７との折り返し部が係合受部１１２の巻状部下部に線状に当接した状態となる。この状態を図９（Ｂ）に示しており、図中、ｂにおいて上下のスラットが線状に当接している。しかし、このような線状の当接だけでは、スラットの連結部における気密性が不十分であった。
【００１２】
特許文献２と類似の構成が、例えば特許文献３や特許文献４にも記載されている。いずれも、図９に示した係合部１１３の形状が異なり、先端部がさらに折り曲げられている。そして、吊り下げられた状態では、下位スラットの係合部の先端が上位スラットの係合受部の湾曲部に当接する。結合部の先端が当接するだけであるので、これらの構成でも線状の当接となり、スラットの連結部における気密性は不十分であった。
【先行技術文献】
【特許文献】
【００１３】
【特許文献１】実開平６−０６３７９２号公報
【特許文献２】特許第３７１３５９２号公報
【特許文献３】特許第３９７４８６４号公報
【特許文献４】特許第５２８３２５８号公報
【発明の概要】
【発明が解決しようとする課題】
【００１４】
本発明は、上述した事情に鑑みてなされたもので、シャッターを閉めた際にスラットが吊り下げられた状態でも気密性、防音性、防水性を向上させたシャッター装置と、そのようなシャッター装置に用いるスラットを提供することを目的とするものである。
【課題を解決するための手段】
【００１５】
本願請求項１に記載の発明は、建築用のシャッター装置に用いるスラットであって、開口幅方向に延在するスラット本体と、前記スラット本体の上端部より内側へ延在する第１抱合部と、前記スラット本体の下端部より内側へ延在する第２抱合部を有し、前記第２抱合部は、内部で他のスラットの第１抱合部を抱合するように湾曲して形成されてなる湾曲部と、前記湾曲部の端部を前記湾曲部の湾曲方向とは逆の方向に屈曲させた係合端部を有し、前記第１抱合部は、他のスラットの係合端部の先端が回動の支点として当接する係合受部を有し、前記係合受部の一面と前記係合端部の一面が略平行になるように形成されていることを特徴とするスラットである。
【００１６】
本願請求項２に記載の発明は、本願請求項１に記載の発明における前記係合端部が、前記湾曲部の端部から前記スラット本体側へ屈曲していることを特徴とするスラットである。
【００１７】
本願請求項３に記載の発明は、本願請求項１または請求項２に記載の発明における前記第１抱合部は前記スラット本体の上端部より内側へ平面部を有しており、また、前記第２抱合部は前記スラット本体の下端部より内側へ平面部を有しており、両者が略平行となるように形成されていることを特徴とするスラットである。
【００１８】
本願請求項４に記載の発明は、請求項１ないし請求項３のいずれか１項に記載のスラットを複数連接してなり、下位のスラットの前記第１抱合部が上位のスラットの前記第２抱合部の内部に抱合されることを特徴とするシャッター装置である。
【００１９】
本願請求項５に記載の発明は、本願請求項４に記載の発明における連接する下位のスラットの前記係合受部の一面と上位のスラットの前記係合端部の一面は、スラットが垂下された姿勢で面接触することを特徴とするシャッター装置である。
【発明の効果】
【００２０】
本発明によれば、第１抱合部の立ち上がり部から折り曲げられた内包端部の面と、第２抱合部の湾曲部を折り曲げた係合端部の面が略並行になるように形成されているので、複数のスラットが吊り下げられた状態で両者の面が面接触する。これによって、シャッターを閉めた際にスラットが垂下した状態でも気密性、防音性、防水性を向上させることができるという効果がある。
【００２１】
また、係合端部として、湾曲部の端部からスラット本体側へ屈曲させることによって、スラット本体と係合端部との間の空隙を狭めることができ、スラットを連接させた場合にスラットの抜けを防止することができる。
【００２２】
さらに、第１抱合部にスラット本体の上端部より内側へ平面部を設け、また、第２抱合部にもスラット本体の下端部より内側へ平面部を設けて、両者が略平行となるように形成しておくと、シャッターを下ろしきった状態で両平面部が面接触し、この状態でも気密性、防音性、防水性を向上させることができる。
【００２３】
また、このようなスラットを複数連接してシャッター装置を構成することによって、開口部を閉じた際にスラットが垂下した状態で下位のスラットの前記第１抱合部が上位のスラットの前記第２抱合部の内部に抱合され、気密性、防音性、防水性を向上させることができるという効果がある。
【図面の簡単な説明】
【００２４】
【図１】本発明の第１の実施の形態におけるスラットの一例の断面図である。
【図２】本発明の実施の一形態におけるスラットの連接部（閉時）の一例の説明図である。
【図３】本発明の実施の一形態におけるスラットの連接部（回動時）の一例の説明図である。
【図４】本発明の実施の一形態におけるスラットの別の例の断面及び連接部の一例の説明図である。
【図５】本発明の実施の一形態におけるガイドレール及びスラットの一例の説明図である。
【図６】本発明の実施の一形態におけるガイドレール及びスラットの一例（気密材使用）の説明図である。
【図７】一般的なシャッター装置の一例の説明図である。
【図８】従来のシャッター装置におけるスラットの連接部の一例の説明図である。
【図９】防水性を有する従来のシャッターの連結部の一例の説明図である。
【発明を実施するための形態】
【００２５】
図１は、本発明の第１の実施の形態におけるスラットの一例の断面図である。図中、１１はスラット、２１はスラット本体、２２は第１抱合部、２３は第２抱合部、３１は第１平坦部、３２は立ち上がり部、３３は当接部、３４は係合受部、３５は抜け止め部、４１は第２平坦部、４２は湾曲部、４３は係合端部、４４は先端部である。
【００２６】
スラット１１は、例えば金属板をロール成形などにより折り曲げ加工して形成されたり、金属や樹脂等を押し出し成形により形成されるものである。スラット１１は、開口幅方向にスラット本体２１が延在する。図１には、１本のスラット１１について、断面の一例を示している。スラット本体２１の上端部より第１抱合部２２が、下端部より第２抱合部２３が、それぞれ内側へと延在している。
【００２７】
第１抱合部２２には、この例では第１平坦部３１、立ち上がり部３２、当接部３３、抜け止め部３５などが設けられている。第１平坦部３１は、スラット本体２１の上端部から内側へ向けて形成された平面である。この第１平坦部３１は、後述する第２抱合部２３の第２平坦部４１と略平行になるように形成される。スラット１１を連接したシャッターカーテン２を下ろし、開口部を閉じた状態では、下方部のスラット１１間で下位のスラットの第１平坦部３１の平面と、上位のスラットの第２平坦部４１の平面とが面で当接する。なお、後述する第２平坦部４１を設けない場合には、上位のスラットのスラット本体２１の下端部から第２抱合部２３の湾曲部４２へ向かう凸部が、この第１平坦部３１に当接することになる。図１に示した例では、スラット本体２１に対して略直角に第１平坦部３１を形成した例を示しているが、傾斜させて設けてもよい。その場合には、内側上方へ向かう傾斜であるとよい。
【００２８】
立ち上がり部３２は、第１平坦部３１から内側上方へ延在して設けられている。第１平坦部３１を通過して水分が浸入した場合でも、この立ち上がり部３２より内部には水分を浸入させないようにする、水切りの機能を有する。
【００２９】
当接部３３は、立ち上がり部３２の端部から内側へ、望ましくは内側下方へ延在して設けられている。この当接部３３の下面は、後述する第２抱合部２３の係合端部４３の面と略平行になるように形成されている。従って、複数のスラットが連接されて垂下され、他のスラットの係合端部４３が当接部３３に当接すると、両者は面で接触することになる。
【００３０】
また、立ち上がり部３２と当接部３３は、内側へ延在する角度が異なることにより、下に開く凹部を構成している。この凹部が係合受部３４となる。この係合受部３４には、複数のスラットが連接された際に上位のスラットの係合端部４３の先端部４４が当接して係合する。この係合により、上位のスラット１１が上昇あるいは下降するに伴って、当該スラットが上昇あるいは下降することになる。また、この係合により、上位のスラットの係合端部４３の先端部４４が回動の支点となり、連接するスラットが回動自在に支持される。巻き取り部５にシャッターカーテン２を巻き取り、あるいは巻き取られているシャッターカーテン２を繰り出す際にスラット１１は回動するが、その際には係合端部４３の先端部４４を支点として、上位のスラットと下位のスラットが相対的に回動することになる。
【００３１】
抜け止め部３５は、当接部３３から下方向へ延在して設けられている。複数のスラットが連接された際に、組み合わされている他のスラットが外れないようにしている。なお、図１に示した例では、抜け止め部３５は、当接部３３から下方外側へ向けて形成されているが、これに限らず、下方、下方内側へ向けて形成するなど、設計時に種々の条件を考慮して形状を決めればよい。もちろん、公知の種々の構造を適用してよいことは言うまでもない。
【００３２】
第２抱合部２３は、この例では第２平坦部４１、湾曲部４２、係合端部４３などが設けられている。第２平坦部４１は、スラット本体２１の下端部から内側へ向けて形成された平面である。この第２平坦部４１は、第１抱合部２２に設けられた第１平坦部３１と略平行になるように形成されている。スラット１１を連接したシャッターカーテン２を下ろし、開口部を閉じた状態では、下方部のスラット１１間で下位のスラットの第１平坦部３１の平面と、上位のスラットの第２平坦部４１の平面とが当接し、面接触することになる。図１に示した例では、スラット本体２１に対して略直角に第２平坦部４１を形成した例を示しているが、第１平坦部３１と平行であれば、傾斜を設けてもよく、その場合には内側上方へ向かう傾斜であるとよい。なお、この第２平坦部４１を設けずに構成してもよく、その場合には、上位のスラットのスラット本体２１の下端部から第２抱合部２３の湾曲部４２へ向かう凸部を、下位のスラットの第１平坦部３１に当接させればよい。
【００３３】
湾曲部４２は、第２平坦部４１に連続して、あるいはスラット本体２１の下端部から設けられ、内部で他のスラットの第１抱合部２２を包み込むように湾曲して形成される。スラットを複数連接した状態では、湾曲部４２は、下位のスラットの第１抱合部２２の上部から内側部及び下部へと延在する。この例では、湾曲部４２の最下部はスラット本体２１の下端よりも下にあり、これによって第１抱合部２２の高さを抑えている。
【００３４】
係合端部４３は、湾曲部４２の端部を、湾曲部４２の湾曲方向とは逆の方向に屈曲させて形成されている。この係合端部４３の上の面は第１抱合部２２の当接部３３の下面と略平行になるように形成されている。従って、複数のスラットが連接されて垂下され、他のスラットの当接部３３に係合端部４３が当接すると、両者は面で接触することになる。これにより、従来の線で接触する場合に比べ、垂下された状態でも気密性、防音性、防水性などが向上する。
【００３５】
また、この係合端部４３が湾曲部４２の端部からスラット本体２１側へ屈曲して形成されているとよい。これによって、スラット本体２１と係合端部４３との間の空隙を狭めることができ、スラットを連接させた場合にスラットの抜けを防止することができる。
【００３６】
係合端部４３の先端部４４は、連接された下位のスラットの係合受部３４と係合する。この係合により、係合端部４３の先端部４４で下位のスラットをつり下げることになる。また、先端部４４と下位のスラットの係合受部３４との当接点が回動の際の支点となり、スラット１１と下位のスラットの相対的な回動を実現している。
【００３７】
上述のように、係合端部４３は湾曲部４２の端部を湾曲部４２の湾曲方向とは逆の方向に屈曲させた形状に形成されている。このような形状にすると、係合受部３４に係合した先端部４４は、そのまま回動の支点となり、その支点のずれの発生が抑えられ、安定した回動を実現する。
【００３８】
上述のスラットを上下に複数連接して、例えば図７に示したシャッターカーテン２を構成する。図２、図３は、本発明の実施の一形態におけるスラットの連接部の一例の説明図である。図中、５１は上位スラット、５２は下位スラット、６１はドラムである。図２における上位スラット５１および下位スラット５２は、ともに図１に示したスラット１１であり、２つのスラットを連接した連接部について示している。また、図２（Ａ）にはシャッターカーテン２を下ろし切って開口部を閉じた状態における下方のスラットの連接部を、図２（Ｂ）には同じく上方のスラットの連接部を、それぞれ示している。２つのスラット１１の連接部は、図２に示すように、下位スラット５２の第１抱合部２２を上位スラット５１の第２抱合部２３が内包するように組み合わされている。
【００３９】
例えば図７に示したようなシャッター装置の巻き取り部５にはドラム６１が設けられており、シャッターカーテン２をこのドラム６１に巻き上げ、またドラム６１に巻き上げられているシャッターカーテン２を下ろして開口部を閉じる。例えばモータ駆動などによりドラム６１を回転させてシャッターカーテン２を下ろしてゆく場合、シャッターカーテン２の最下端が床面に到達すると、その床面への到達を検知し、あるいは安全装置が作動し、ドラム６１の回動が停止してシャッターカーテン２により開口部が閉じられた状態となる。この状態で、下方のスラット１１では上位スラット５１が下位スラット５２上に載置される状態となる。図２（Ａ）に示すように、下位スラット５２の第１平坦部３１と、上位スラット５１の第２平坦部４１とが当接する。第１平坦部３１の平面と第２平坦部４１の平面とは略平行になるように形成されていることから、両者は面で接触し、また上位スラット５１の自重により密接する。これによって、従来の線接触に比べて気密性、防音性、防水性などを向上させることができる。なお、この状態では上位スラット５１の係合端部４３の先端部４４と下位スラット５２の係合受部３４との係合は解除されている。
【００４０】
一方、シャッターカーテン２を降ろした状態でも上方のスラット１１では、上位スラット５１が下位スラット５２を垂下した状態のままとなっている場合がある。この状態では図２（Ｂ）に示すように、上位スラット５１の係合端部４３の先端部４４が下位スラット５２の係合受部３４に当接し、両者が係合している。この係合により、下位スラット５２は上位スラット５１により吊り下げられた状態となっている。このように吊り下げられた状態では、下位スラット５２の第１平坦部３１と、上位スラット５１の第２平坦部４１とは離間しており、この部分での気密性などは失われている。しかし、上述のように、第１抱合部２２の当接部３３の下面と第２抱合部２３の係合端部４３の上面は略平行になるように形成されている。従って、下位スラット５２が上位スラット５１より垂下した状態では、上位スラット５１の係合端部４３の上面と、下位スラット５２の当接部３３の下面とが面接触する。この面接触によって、単なる係合による線接触に比べて気密性、防音性、防水性などを向上させることができる。
【００４１】
このように、シャッターカーテン２を降ろして開口部を閉じた状態において、従来は下方のスラット１１では上下のスラット１１のスラット本体２１が当接していたものの、上方のスラット１１ではスラット１１が吊り下げられた状態となり、気密性が失われる場合があった。この実施の形態によれば、下方のスラット１１では第１平坦部３１と第２平坦部４１とが面接触するとともに、上方のスラット１１でも上位スラット５１の係合端部４３の先端部４４と下位スラット５２の当接部３３とが面接触して気密性、防音性、防水性などを得ることができる。
【００４２】
例えばこのようなシャッター装置を屋外で使用した場合、外側は風雨にさらされ、スラット本体２１の隙間から雨水などが浸入しようとする。下方のスラット１１では、下位スラット５２の第１平坦部３１と上位スラット５１の第２平坦部４１とが面接触しており、この部分で水の浸入を防ぐことができる。仮に、さらに内部に水が浸入しようとしても、立ち上がり部３２が上方へ延在して設けられていることから、この立ち上がり部３２で水の浸入を防ぐことができる。
【００４３】
また、上方のスラット１１では、第１平坦部３１と第２平坦部４１とは離間しており、下方よりは水は浸入しやすいが、立ち上がり部３２で水の浸入を防ぐことができる。さらに、内部で上位スラット５１の係合端部４３と下位スラット５２の当接部３３とが面接触して気密性を向上させており、水が浸入しようとすると内圧が上昇して水を押し返し、水の浸入を抑えている。
【００４４】
図３（Ａ）には、シャッターカーテンをドラム６１に巻き上げる、あるいは巻き上げてあるシャッターカーテンを下ろす際の連接部の状態を、図３（Ｂ）には、ドラム６１にシャッターカーテンの一部が巻き取られている状態を、それぞれ示している。この場合、ドラム６１の回動方向と上下動方向とで、連接している各スラット１１の位置関係が変化するため、連接している各スラット１１が回動することになる。上下動の際には上位スラット５１の係合端部４３の先端部４４が下位スラット５２の係合受部３４に係合しており、回動の際には上位スラット５１の係合端部４３の先端部４４が回動の支点となって、両者が相対的に回動することになる。
【００４５】
ドラム６１に巻き取られた状態では、スラット１１は内側に巻き取られているスラットと当接する。その際に当接するのは第２抱合部２３の湾曲部４２である。もちろん、さらに外側のスラットの湾曲部４２がスラット本体２１に当接することになる。上述のスラットの回動の際には、係合端部４３の先端部４４が支点となって、係合受部３４が湾曲部４２内で相対的に回動する。そのため、巻き取られている内側のスラットとの間で衝突音や擦過音などは軽減される。また回動自体も、係合端部４３の先端部４４を支点にして係合受部３４が湾曲部４２内で回動するだけであり、上述のように係合が安定していることから、音はほとんど発生しない。そのため、全体として回動による音鳴りなどの不具合は抑えられる。
【００４６】
さらに、従来の構成では、回動とともに回動の支点が変更されることがあるが、この構成では係合端部４３の先端部４４が回動の支点となり続ける。この構成でも先端部４４において回動の支点となる角部が変わることがある。その場合でも、係合端部４３は湾曲部４２の端部を湾曲部４２の湾曲方向とは逆の方向に屈曲させた形状であることから、回動角度が大きくなってからでないと回動の支点の変更は生じず、回動の大部分を１つの角部を支点として行うことになる。そのため、スラット１１を安定して回動させることができる。
【００４７】
なお、上位スラット５１の当接部３３の先に、下方向へ延在した抜け止め部３５が設けられている。この抜け止め部３５によって、上下のスラットの抱合がどのような状態になっても外れないようにしている。なお、抜け止め部３５はスラット１１の通常の上下動や回動には関与していない。
【００４８】
また、第２抱合部２３の係合端部４３が湾曲部４２の端部からスラット本体２１側へ屈曲していることによって、スラット本体２１と係合端部４３との間の空隙を狭めることができる。これによって、この空隙から挿入されている別のスラットの第１抱合部２２が抜けにくいようにしている。これらにより、連接されたスラットが外れるのを防止することができる。
【００４９】
図４は、本発明の実施の一形態におけるスラットの別の例の断面及び連接部の一例の説明図である。図中、３６は水切り部である。図４（Ａ）には１本のスラット１１の断面の一例を示し、図４（Ｂ）には上位スラット５１と下位スラット５２を連接させた場合の連接部の断面の一例を拡大して示している。この例では、第１抱合部２２の当接部３３と抜け止め部３５の間に、水切り部３６を設けた例を示している。水切り部３６は、当接部３３の端部から上方へ延在して設けられている。抜け止め部３５は、この水切り部３６の端部から下方向へ延在して設けられている。
【００５０】
図１に示した例においても、第１平坦部３１と第２平坦部４１との面接触あるいは係合端部４３と当接部３３との面接触と、立ち上がり部３２とによって水の浸入を防いでいる。しかし、強風を受ける等によって外側から内側へ向かう強い圧力が生じると、立ち上がり部３２を越えて内部へ浸水してしまうことも考えられる。
【００５１】
図４に示した例では、図１に示した構成に、さらに水切り部３６を設けている。これにより、たとえ立ち上がり部３２を越えて水が浸入した場合でも、水切り部３６によって浸水は阻止される。従って、図１に示した構成に比べて、浸水防止機能が向上する。
【００５２】
通常の動作では、この水切り部３６の先端が湾曲部４２に当接してスラット１１の上下動や回動の際の支点になることはない。しかし、上下のスラットの抱合状態によっては、水切り部３６の先端が湾曲部４２に当接し、抜け止め部３５とともにスラット１１が外れてしまうのを防止するように作用することがある。
【００５３】
なお、上下のスラットの抱合状態によっては、係合端部４３の先端部４４が係合受部３４から抜け止め部３５へと移動してしまう場合が考えられる。このような場合に、水切り部３６と抜け止め部３５の間の凹部に係合端部４３が嵌まり込んでしまうことが懸念される。この例では、水切り部３６と抜け止め部３５の接続部を急峻に折り曲げられた形状として、このような係合端部４３の嵌まり込みを防止している。
【００５４】
本発明のスラットにおける第１抱合部２２及び第２抱合部２３の構成は、上述の各例に限られるものではない。例えば、上述の各例において、上下のスラットの抱合状態が維持されるのであれば、第１抱合部２２の抜け止め部２５を有しないものであってもよい。また、第１平坦部３１及び第２平坦部４１についても、気密性は低下するものの、一方あるいは両方を曲面とし、線接触する構成であってもよい。この場合、各スラット１１は、なるべく垂下された状態とすることにより、係合端部４３と当接部３３との面接触で気密性を向上させることができる。もちろん、このほかにも種々の公知の第１抱合部２２及び第２抱合部２３の構成を適用してよいことは言うまでもない。
【００５５】
図５、図６は、本発明の実施の一形態におけるガイドレール及びスラットの一例の説明図である。図中、７１は案内面、７２は気密材である。図７にも示したように、スラット１１を連接したシャッターカーテン２は、ガイドレール４に沿って昇降させる。上述の説明ではスラット１１間の気密性、防音性、防水性などの向上を図ったが、ガイドレール４とスラット１１の間でもこれらの向上を図るとよい。
【００５６】
図５（Ａ）には上下方向の断面の一例を、図５（Ｂ）には水平方向の断面の一例を、それぞれ示している。スラット１１を連接したシャッターカーテン２は、ガイドレール４の案内面７１に沿って昇降する。少なくともシャッターカーテン２を下ろした状態では、スラット本体２１の平板状部の外側面と、ガイドレール４の外側の案内面７１とを接触させるとよい。これにより、外側の空間と内側の空間とを遮断し、気密性や防音性を向上させることができる。
【００５７】
図６に示した例では、スラット１１の外側面に当接する気密材７２をガイドレール４に上下方向に設けた例を示している。シャッターカーテン２を下ろした状態で、スラット本体２１の外側面と、ガイドレール４に設けた気密材７２とが接触している。これにより、外側の空間と内側の空間とを遮断し、気密性や防音性を向上させることができる。気密材７２は、例えば弾性材などによって形成するとよい。
【００５８】
図６（Ａ）に示している気密材７２の例は、ガイドレール４にはめ込む基部と、その基部から延在する突起部を有している。この気密材７２を、ガイドレール４の外側の案内面７１の裏側にはめ込み、突起部がスラット１１の外側面に当接するように構成している。
【００５９】
また図６（Ｂ）に示した例では、図６（Ａ）に示した気密材７２と同様のものを用い、ガイドレール４の外側の案内面７１に設けた溝部に気密材７２をはめ込み、突起部がスラット１１の外側面に当接するように構成している。洪水などによる浸水に対しても、水圧により突起部がスラット１１に圧接され、防水性能を発揮する。
【００６０】
さらに図６（Ｃ）に示した例では、ガイドレール４の外側の案内面に突起状の気密材７２を設けた例を示している。この突起状の気密材７２にシャッターカーテン２を当接させればよい。
【００６１】
もちろん、気密材７２としては上述の例に限られるものではなく、スラット１１と当接する構造であれば任意の形状であってよい。また、気密材７２のガイドレール４への取り付けも、種々の形態で行えばよい。
【００６２】
なお、上述のようにスラット本体２１の外側面とガイドレール４の案内面７１または気密材７２とを接触させることから、スラット本体２１の外側面のうち、少なくとも外側の案内面７１または気密材７２と当接する部分については、平板状であることが望ましい。
【符号の説明】
【００６３】
１…シャッター装置、２…シャッターカーテン、３…スラット、４…ガイドレール、５…巻き取り部、１１…スラット、２１…スラット本体、２２…第１抱合部、２３…第２抱合部、３１…第１平坦部、３２…立ち上がり部、３３…当接部、３４…係合受部、３５…抜け止め部、３６…水切り部、４１…第２平坦部、４２…湾曲部、４３…係合端部、４４…先端部、５１…上位スラット、５２…下位スラット、６１…ドラム、７１…案内面、７２…気密材、１０１…上位スラット、１０２…下位スラット、１１１…折り返し部、１１２…係合受部、１１３…係合部、１１４〜１１７…第１〜第４傾斜部。
【図１】
2018145716.tif 000003
【図２】
2018145716.tif 000004
【図３】
2018145716.tif 000005
【図４】
2018145716.tif 000006
【図５】
2018145716.tif 000007
【図６】
2018145716.tif 000008
【図７】
2018145716.tif 000009
【図８】
2018145716.tif 000010
【図９】
2018145716.tif 000011